(57)【要約】【課題】地表（72）から、除去された廃物（76）を処理するために屋外（71）に設けられ、廃物（76）及び流体（74）を下水道（80）に送ることにより廃物（7６）を処理すべく加圧流体の流れ（77）を利用する廃棄物収集処理装置（20）を提供する。【解決手段】  廃物収集処理装置（20）は、第一端部（26）、第二端部（24）及び内部空間（25）を備える柱形本体（22）を備える。また、収集処理装置（20）は、ベース（40）と、外部（71）から仕切られ容器内部（35）を規定するようにベース（40）から延びる包囲側壁（33）とを有する容器（32）を備え、包囲側壁（33）は、容器縁（34）を形成する開口で終端する。包囲側壁（33）は、開口に隣接した側壁開口（37）を備え、側壁開口は、外部（71）に設けられ、隙間間隔（73）を経て側壁開口（37）に加圧流体（77）を流し込むように設けられたノズル（７０）から流体の流れ（77）を受ける。
2005532811.tif 000002
【特許請求の範囲】
【請求項１】
地表から、除去された廃物を処理するために屋外に設けられ、廃物及び流体を下水道に送ることにより廃物を処理すべく加圧流体の流れを利用する廃棄物収集処理装置において、
縦軸を有し、第一端部及び第二端部を備える柱形本体と、
ベースと、外部から仕切られた容器内部を規定するように前記ベースから延びる包囲側壁とを備える容器と、
前記外部に配置され、前記加圧流体が流れるように設けられた流体ノズルとを備え、
前記柱形本体は、前記第一端部から前記第二端部に前記流体及び前記廃物を導くための内部空間を備え、
前記包囲側壁は、前記外部と前記容器内部との間を連通する容器縁を形成する開口で終端し、
前記ベースは、前記第二端部に取り付けらており、前記容器内部から前記内部空間及び前記柱型第一端部を経て前記下水道に前記流体及び前記廃物を導くベース開口を備え、
前記流体ノズルから放出された前記加圧流体は、前記流体ノズル及び前記側壁の間に形成された隙間間隔を経て開放された流れの状態となり、前記側壁開口を通じて前記容器内部に流れることを特徴とする廃物収集処理装置。
【請求項２】
前記側壁開口に隣接して配置され、流体の流れを変更するデフレターを更に備え、該デフレクターは、前記外部に設けられており、前記容器内部へ開放された状態の流体の流れを拡散するために、前記流体ノズルから前記隙間間隔の下流側を経て前記開放された状態の流体の流れを前記側壁開口へ向けることを特徴とする請求項１に記載の廃物収集処理装置。
【請求項３】
前記流体ノズルに前記流体を導く弁を更に備え、該弁は、前記ノズルの上流側に設けられており、前記弁は、開放状態では、前記加圧流体を流し、閉鎖状態では、前記流体の流れを制限することを特徴とする請求項１に記載の廃物収集処理装置。
【請求項４】
前記弁を閉錠し、前記弁に固定される弁ロック部材を更に備え、該弁ロック部材は、閉錠状態では、前記弁を閉鎖状態とし、開錠状態では、前記弁を開放状態とすることを特徴とする請求項３に記載の廃物収集処理装置。
【請求項５】
下水ガスを抜くガス抜き手段を更に備え、該ガス抜き手段は、前記柱形本体に設けられ、前記ガス抜き手段は、前記内部空間２５に前記流体を案内する際、下水ガスを屋外へ放出することを特徴とする請求項１に記載の廃物収集処理装置。
【請求項６】
前記ベース開口に設けられた閉鎖板を更に備え、該閉鎖板は、前記ベース開口への前記廃物の存在及び開放された流体の流れにより開放状態となるように開放され、前記閉鎖板は、いったん前記廃物及び開放された流体の流れが前記内部空間に導かれると、前記閉鎖板を付勢する付勢手段を用いることにより閉鎖状態となるように前記ベース開口を閉鎖することを特徴とする請求項６に記載の廃物収集処理装置。
【請求項７】
前記容器縁に枢着された蓋を更に備え、該蓋は、閉鎖状態となるように前記容器の開口を閉鎖し、前記蓋は、開放状態となるように前記容器の開口を開放することを特徴とする請求項５に記載の廃物収集処理装置。
【請求項８】
前記柱形本体及び前記蓋に枢着された足踏み連結組立体を更に備え、該足踏み組立連結体は、前記蓋が開放状態となるように使用者の足により開放させることを特徴とする請求項７に記載の廃物収集処理装置。
【請求項９】
前記足踏み連結組立体から前記使用者の足を移動させることにより、前記蓋が閉鎖状態となるように蓋の配置手段を更に備えることを特徴とする請求項８に記載の廃物収集処理装置。
【請求項１０】
前記蓋を前記容器縁にロックする蓋ロック部材を更に備え、該蓋ロック部材は、閉錠状態では、前記蓋を閉鎖状態に保持し、前記蓋ロック部材は、開錠状態では、前記蓋及び前記容器縁を解放することを特徴とする請求項７に記載の廃物収集処理装置。
【請求項１１】
前記第一端部は、前記下水道に取り付けられていることを特徴とする請求項１に記載の廃物収集処理装置。
【請求項１２】
前記加圧流体の流れの凍結を防止する凍結防止手段を更に備えることを特徴とする請求項１に記載の廃物収集処理装置。
【請求項１３】
前記柱形本体は、使用者が地表に直立した時、前記容器縁及び使用者の腰線が地表上、略同一の高さとなり、前記容器内部に前記廃物を処理するためにシャベルを有する使用者の手を用いるように、前記第一端部及び前記第二端部の間の前記縦軸に沿って十分な長さを備えることを特徴とする請求項１に記載の廃物収集処理装置。
【請求項１４】
地表から、除去された廃物を処理するために屋外に設けられ、廃物及び流体を下水道に送ることにより廃物を処理すべく加圧流体の流れを利用する廃棄物収集処理装置において、
縦軸を有し、第一端部及び第二端部を備える円柱形本体と、
ベースと、外部から仕切られた容器内部を規定するように前記ベースから延びる円形包囲側壁とを備える容器と、
前記外部に配置され、前記加圧流体が流れるように設けられた流体ノズルとを備え、
前記円柱形本体は、前記第一端部から前記第二端部に前記流体及び前記廃物を導くための円柱形内部空間を備え、
前記円形包囲側壁は、前記外部と前記容器内部との間を連通する円形容器縁を形成する開口で終端し、
前記ベースは、前記第二端部に取り付けらており、前記容器内部から前記円柱形内部空間及び前記柱型第一端部を経て前記下水道に前記流体及び前記廃物を導くベース開口を備え、
前記流体ノズルから放出された前記加圧流体は、前記流体ノズル及び前記側壁の間に形成された隙間間隔を経て開放された流れの状態となり、前記側壁開口を通じて前記容器内部に流れることを特徴とする廃物収集処理装置。
【請求項１５】
前記側壁開口に隣接して配置され、流体の流れを変更するデフレターを更に備え、該デフレクターは、前記外部に設けられており、前記容器内部へ開放された状態の流体の流れを拡散するために、前記流体ノズルから前記隙間間隔の下流側を経て前記開放された状態の流体の流れを前記側壁開口へ向けることを特徴とする請求項１４に記載の廃物収集処理装置。
【請求項１６】
前記流体ノズルに前記流体を導く弁を更に備え、該弁は、前記ノズルの上流側に設けられており、前記弁は、開放状態では、前記加圧流体を流し、閉鎖状態では、前記流体の流れを制限することを特徴とする請求項１４に記載の廃物収集処理装置。
【請求項１７】
下水ガスを抜くガス抜き手段を更に備え、該ガス抜き手段は、前記柱形本体に設けられ、前記ガス抜き手段は、前記内部空間２５に前記流体を案内する際、下水ガスを屋外へ放出することを特徴とする請求項１４に記載の廃物収集処理装置。
【請求項１８】
前記ベース開口に設けられた閉鎖板を更に備え、該閉鎖板は、前記ベース開口への前記廃物の存在及び開放された流体の流れにより開放状態となるように開放され、前記閉鎖板は、いったん前記廃物及び開放された流体の流れが前記内部空間に導かれると、前記閉鎖板を付勢する付勢手段を用いることにより閉鎖状態となるように前記ベース開口を閉鎖することを特徴とする請求項１７に記載の廃物収集処理装置。
【請求項１９】
前記容器縁に枢着された円形の蓋を更に備え、該円形の蓋は、閉鎖状態となるように前記容器の開口を閉鎖し、前記円形の蓋は、開放状態となるように前記容器の開口を開放することを特徴とする請求項１７に記載の廃物収集処理装置。
【請求項２０】
使用者により踏み込まれる大きさに形成された足踏み連結組立体を更に備え、前記足踏み連結組立体は、前記柱形本体及び前記蓋に枢着されており、前記足踏み連結組立体は、使用者の足を前記足踏み連結組立体にのせることにより前記蓋を開放状態とするように開放することを特徴とする請求項１９に記載の廃物収集処理装置。
【請求項２１】
前記足踏み連結組立体から前記使用者の足を移動させることにより、前記蓋を閉鎖状態とするように蓋の配置手段を更に備えることを特徴とする請求項２０に記載の廃物収集処理装置。
【請求項２２】
前記円柱形本体は、使用者が地表に直立した時、前記容器縁及び使用者の腰線が地表上、略同一の高さとなり、前記容器内部に前記廃物を処理するためにシャベルを有する使用者の手を用いるように、前記第一端部及び前記第二端部の間の前記縦軸に沿って十分な長さを備えることを特徴とする請求項１４に記載の廃物収集処理装置。
【発明の詳細な説明】
【技術分野】
【０００１】
本発明は、概述すると廃物処理のために地上から集められた廃物の処理装置に関する。更に詳細に述べると、本発明は、芝の上、歩道、道路、パティオ等の人々が歩く地表からの動物の排泄物の手収集に関する。特に、本発明は、ペットの排泄物の収集及び除去に関する。
【背景技術】
【０００２】
多くの人々の行動は、様々な種類の残がい及び廃棄物を生み出す。廃棄物の収集及びその処理は、生活環境の美化の観点からだけではなく、衛生上の理由から、多くの文化において重要課題となっている。廃棄物の収集及び処理は、人々によって出される衛生環境上問題となる廃棄物の処理に留まらず、動物性のごみ又は排泄物、特に、ペットの排泄物の収集及び除去が挙げられる。例えば、犬及び猫は、一般的に多くの人々の家庭の仲間であり、保健衛生上、それらの動物の排泄物又は糞便物質の処理は必要不可欠である。そのような糞便物質は、動物用の指定されたトイレ及び動物が自由に歩きまわれる公的な場所、もしくは、その飼い主によって散歩を許されている公的な場所で処理されている。
【０００３】
実際に、多くのコミュニティーでは、指定の領域、特に、彼ら自身が所有する土地、または賃貸している土地の庭等として規定される領域に堆積されている彼らの動物の糞便物質及び他の動物の糞便物質をペットの飼い主たちに収集させる規則及び規定が制定されている。指定された屋外の領域に動物がいるとき、比較的、トイレ習慣に抑制されないため、そのようなペット又は動物の排泄物は自然に堆積される。動物が、庭、芝の上又は囲い場をトイレの場所として用いると、特に、庭などは子供達の遊び場として使用されているため、糞便物質の存在は、非衛生的な状態につながる。そのような場所にたとえごく短い時間でも糞便物質が存在すると、そのような糞便物質の存在は、ハエなどの虫を呼び寄せ、悪臭と共に、非衛生的な細菌汚染にもつながる。また、糞便物質は、芝を見苦しい茶色に変えたり枯らしたりすると同時に寄生虫の問題をも発生させる。これらの衛生的な理由から、糞便物質は動物の排泄場所から直ちに除去されることが望ましい。このような排泄場所は、動物が存在することのできるすべての場所、例えば、歩道、道路、パティオのような場所に及ぶ。
【０００４】
多くの人々は、動物の排泄物の収集及びその処理を不快又は不愉快な作業であると感じ、ましてや、その作業が適切に行なわれると、動物の排泄物のそのような収集及び処理は、不健康であるとみなす。従って、人々は、糞便物質を収集する間、保護手袋などを着用するか、その作業の収集を達成するために、即ち、地表からペットの排泄物を除去するためにスコップなどの道具を用いる。更に、猫用トイレの場合、多くの人々は、利用者が猫用トイレから糞便物質を除去することができ且つ猫による再利用のために砂利を穴やスコップに通す穴あきスコップを利用する。この不快な作業の他の点は、糞便物質の処理であり、特に、糞便物質をごみ箱に捨てることです。ごみ箱での糞便物質の堆積は、ハエなどの虫を呼び寄せ、細菌汚染及び不衛生な状態を更に悪化させる悪臭につながるという点で問題となっている。
【０００５】
この不快な作業の処理の部分に注目すると、動物の糞便物質の衛生的な除去のために現在利用することのできる製品がほとんどないということは驚くべきことである。動物の糞便物質処理のために用いられる水洗トイレ又はトイレの従来技術は数件である。従来、一例として、米国特許番号4,975,989では、サットンは、動物の糞便物質を処理するために、人間の糞便物質のトイレのように機能する洗浄タンクに開口から直接動物の糞便物質を流し込む囲いを開示している。サットンは、動物の糞便物資を開口に投入する前に、使い捨ての紙袋に入れることを薦めている。糞便物質を使い捨ての紙袋に入れないと、開口からトイレまでの連通管の内面に糞便物質が付着してしまう可能性があり、このためごみ箱に排泄物を捨てた場合のような上述した問題がその連通管内で発生する可能性がある。このため、この処理は必要とされる。その管は細長く、その管の内部へのアクセスを難しくしているため、使い捨ての紙袋を使用せずに行う連通管の衛生作業及び清掃作業は大変困難である。上述の問題に対するサットンの解決策は、動物の排泄物を使い捨ての紙袋に入れることを必要としており、この使い捨ての紙袋の供給自体がすでに不快な作業に対してさらに不要な煩雑さを加える。サットンは、また、開口に入れる前に紙袋が封止される糊付き端部を有する紙袋を薦めており、さらに、特別な使い捨て紙袋の要件は、封止可能であるばかりではなく、下水道を詰まらせないために可溶性に富んでいる必要がある。
【０００６】
従来、別の例として、米国特許番号4,117,555では、デニスは、犬用トイレを開示している。その犬用トイレにおいては、犬がいったん適切な場所に立つと始動するトイレの洗浄システムが用いられており、犬は、実際にトイレに立ち開口に排便をする。また、そのトイレは、便器を備え、犬が通常の後ろ足一本を空気中に上げて、3本足で立つ状態を想定しており（雄犬の場合）、その便器に排出された小便は、トイレに流れ込む仕組みになっている。これは称賛に値する発明ではあるが、犬がこのトイレを適切に使用することを想定しており、よく調教された犬であればこのトイレの使用は可能であるが、特に、子犬、野良犬又は老犬などの場合、このようなトイレを適切に使用するように全ての犬を調教することは非現実的である。従って、庭に堆積され、排泄物収集及び処理の前述の問題を有する従来の方法で清掃される不可避な量の動物の糞便物質は、いまだに存在する。その他の従来技術は、特に、動物を収容するようなトイレを設計している点においてデニスの機能に類似しており、米国特許番号2,204,416では、クレイマーは、水洗装置を有する底面トレイを備える犬小屋のような囲いを開示している。水洗装置は、動物の糞便物質を収集及び処理するために動物がその小屋に入りその囲いを励磁させることにより作動する。従来の犬用トイレの別の例としては、米国特許番号4,228,554がある。ツミネイルは、特別な動物用トイレを開示しているが、これは飼い主が糞便物質をトイレから流さなくてはならない。更に、動物用トイレの別の例として、米国特許番号3,818,865では、シンクレヤーは、動物用トイレを開示しているが、そのトイレは、下水道にはつながっておらず、糞便物質の処理作業はいまだ手作業になっている。エドワードの米国特許番号3,835,812には、動物用トイレが開示されており、そのトイレは、犬が排便する際、トイレ容器の中心をはずした時にその容器を機械的にふき取る装置を備えている。これら上述の例には、すべて、動物が特別なトイレを使用するために完全に訓練されていることを前提としている点においてデニスのものと同じような問題がある。
【発明の開示】
【発明が解決しようとする課題】
【０００７】
従って、これらの前例のように、動物が排泄を行う際、場所を特定せずに行うことは自然のことであり、その不快な収集作業は近い将来解決されるとは思われないが、動物の排泄物の収集及びその処理のための不快な作業を最小限にすることは長い間問題視されている。その不快な処理部分において特別な収集器具、道具及び処理の際に必要とされる特別な入れ物を用いることなく、その処理の部分に焦点をあてより改善された装置は、重要であり長期にわたり所望されている。
【課題を解決するための手段】
【０００８】
本発明は、地表から、除去された廃物を処理するために屋外に設けられ、廃物及び流体を下水道に送ることにより廃物を処理すべく加圧流体の流れを利用する廃棄物収集処理装置である。該述すると、本発明は、縦軸を有し、第一端部及び第二端部を備える柱形本体を備え、該柱形本体は、第一端部から第二端部に流体及び廃物を導くための内部空間を備える。本発明は、また、ベースと、外部から仕切られた容器内部を規定するようにベースから延びる包囲側壁とを備える容器を備え、該側壁は、外部と容器内部との間を連通する容器縁を形成する開口で終端する。側壁はまた、開口に隣接した側面開口を備える。ベースは、前記第二端部に取り付けられ、容器内部から内部空間及び柱型第一端部を経て下水道に流体及び廃物を導くベース開口を備えている。また、外部に配置され、加圧流体が流れるように設けられた流体ノズルを備え、流体ノズルから放出された加圧流体は、流体ノズル及び側壁の間に形成された隙間間隔を経て開放された流れの状態となり、流体は、ノズルから隙間間隔を経て側壁開口通じ容器内部へ流れる。
【発明を実施するための最良の形態】
【０００９】
上述及び他の本発明の目的は、添付図面と共に、以下の例示的な詳細な説明からより容易に理解することができる。
【実施例】
【００１０】
まず、図１乃至図１０を参照すると、斜視図、側面図、断面図、上面図、設置斜視図及び柱形本体２２と、容器３２と、加圧流体ノズル７０と、開放状態の蓋５８とを含む廃物収集処理装置２０の使用図が示されている。通常、収集処理装置２０は、屋外に設けられており、加圧流体の流れ７７を利用して、地表から除去されて収集処理装置２０に入れられた廃物７６及び流体７４を下水道８０に流し込むことにより廃物７６を処理する。
【００１１】
概述すると、本発明の収集処理装置２０は、縦軸２３を有する柱形本体２２を備える。柱形本体２２は、柱形本体第一端部２６及び柱形本体第二端部２４を有し、柱形本体２２は、また、流体７４及び廃物７６を柱形本体第二端部２４から第一端部２６へと案内するための内部空間２５を有する。柱形本体第一端部２６は、下水道８０に取り付けられる。この下水道８０には、遠方の処理場を利用する市営のパイプシステム、廃物７６及び流体７４を取り込むことができる汚水処理タンクシステム、又はいかなるタイプの下水道を用いることができる。本体２２の第一端部２６は、下水道８０に下水道立ち上がり接続管８６を介してパイプ接続されており、下水道立ち上がり接続管８６は、地上７８を通り下水道立ち上がり管８４に延び、下水道立ち上がり管８４は、下水道８０に接続された下水道接続の為のＴ字管８２に接続されている。
【００１２】
柱形本体２２に戻り、柱形本体２２は、大人の使用者８８が地表７２に直立したとき容器の縁３４及び使用者の腰線８９が地表７２上略同じ高さとなるように、柱形本体第一端部２６と柱形本体第二端部２４との間の縦軸２３に沿って十分な長さを有する。前述した柱形本体２２の長さは、廃物７６を容器内部３５に投入する際、使用者が廃物７６を乗せたシャベル９０を手８７で握ったまま膝や腰を必要以上にかがめることなく、使用者の手８７とシャベル９０とを使い廃物７６を容器内部３５に容易に投入することが可能な長さである。図に示す柱形本体２２は、四角錐台を逆にした型であるが、柱形本体２２は上述した操作条件に沿うものであればどのような型でもよい。これらの柱形本体２２の他の型を、上述の要件に沿うもので、生産が簡単なものであれば、円筒形、楕円形、円形、半円形、長方形、正方形又は別な形とすることができる。
【００１３】
柱形本体２２の内部空間２５に注目すると、内部空間２５は、通常、柱形本体２２の外形と同じ形であるが、この形には厳密な要求はなく、上述したような生産上の都合により、内部空間２５が流体７４及び廃物７６を第一端部２４から第二端部２６に案内することが可能であれば内部空間２５の形状を柱形本体２２の外形と異なる形とすることもできる。柱形本体２２は、屋外の環境に適し、且つ流体７４と廃物７６との接触に適するポリエチレン、ポリプロピレン、ポリエチレン、ポリウレタン又は他のプラスチックや繊維ガラスタイプの材料で形成されており、成形工程を用いて製造される。これらに加え、ステンレススチール、めっき又は処理されたカーボンスチールや、前述した条件に合う他の金属製品等の加工された金属製品を使用することもできる。
【００１４】
更に、本発明は、ベース４０と容器内部３５を規定するためにベース４０から延びる包囲側壁３３とを有する容器３２を備える。容器３２は、外部７１から仕切られている。側壁３３は、外部７１と容器内部との間を連通する容器縁３４を形成する開口で終端する。また、側壁３３は開口に隣接した側壁開口３７有する。ベース４０は、第二端部２４に取り付けられており、また、ベース４０は、容器内部３５から内部空間２５へそして第一端部２６から下水道８０へ流体７４及び廃物７６を導くためのベース開口４２を有する。図に示す容器３２は、環状形であるが、容器３２は、前述した操作条件に沿うものであればどのような型でもよい。容器３２の型は、言及した要求に沿うものであり、生産が簡単なものであれば、楕円形、半円形、長方形、正方形又は別の形とすることができる。
【００１５】
容器３２の内部３５に関して、通常、容器内部３５は、容器３２の外形と同じ形である。しかしながら、この形には厳密な要求はなく、前述したように生産上の都合により、容器内部３５の形状は、容器内部３５が流体物７４及び廃物７６を第二端部２４から内部空間２５を通り、第一端部２６への案内が可能であれば、容器３２と異なる形になり得る。容器３２は、屋外の環境に適し、且つ流体７４と廃物７６との接触に適するポリエチレン、ポリプロピレン、ポリエチレン、ポリウレタン又は他のプラスチックや繊維ガラスタイプの材料で形成されており、成形工程を用いて製造される。これらに加え、ステンレススチール、めっき又は処理されたカーボンスチールや、前述した条件に合う他の金属製品等の加工された金属製品を使用することもできる。
【００１６】
また、本発明は、外部に配置され、加圧流体が流れるように設けられた流体ノズルを備える。ノズル７０から流れ出る加圧流体７７が、ノズル７０と側壁開口３７との間に形成された隙間間隔７３経て加圧状態から開放された流れの状態７５となり、開放された流れの状態の維持されるように、ノズル７０は、加圧流体７７がノズル７０から流れるように設けられる。従って、流体は、開放された流れの状態で７４、ノズル７０から隙間間隔７３を経て流れ込み、その後、側壁開口３７を経て容器内部３５に流れ込む。建築基準法の要件に従い、隙間間隔７３は、下水がノズル７０に吸い上がることを防ぐ為に、通常少なくとも１インチに設定されている。更に、それは、ノズル７０への下水の逆流を防ぎ、加圧流体７７が無圧力状態にある時に加圧流体へ逆流を防ぐ大きさにもなっている。
【００１７】
流体ノズル７０は、屋外の環境に合うもので、流体７４との接触及び市営の水道システムの標準となる平方インチあたり約３０から６０パウンドになる加圧流体７７の圧力に対応できるポリエチレン、ポリプロピレン、ポリウレタン、又は他のプラスチックや繊維ガラスなどの材料で形成されており、成形工程を用いて製造される。しかし、高圧力や水ではない加圧流体７７、即ち別の流体の場合には、流体ノズル７０を別の流体や高圧力を収容するように設計することもできる。これらに加え、ステンレススチール、めっき又は処理されたカーボンスチール又は前述した条件に合う他のスチールなどの加工された金属製品なども使用することができる。
【００１８】
廃物７６の廃物収集処理装置２０は、更にオプションとして側壁開口３７に隣接し流体の流れを変更するデフレクター３８を備える。図示するようにデフレクター３８は、外部７１に配置され、図９に示すように、ノズル７０から隙間間隔７３の下流経て側壁開口３７から容器内部３５へ流れ込む開放された状態の流体の流れ７４を拡散させるように機能する。デフレクター３８は、屋外の環境に適し、流体７４との接触及び流体ノズル７０からの開放された流れの状態７４での動的衝撃に適するポリエチレン、ポリプロピレン、ポリウレタン又は他のプラスチック又は繊維ガラスなどの材料で形成されており、成形工程法を用いて製造される。これらに加え、ステンレススチール、めっき又は処理されたカーボンスチール又は前述の条件に適する他のスチールなどの加工された金属製品を使用することもできる。デフレクター３８が、側壁開口３７に隣接している為、デフレクター３８と側壁３３との間が耐水性の構造であればどのような方法でも、変更器３８を容器側壁３３に取り付けることができる。変更器３８の取り付け方法は、一体化、接着、留め金による取り付け又は、デフレクター３８及び側壁３３が互いに隣接する場所で側壁開口３７の周辺が耐水封止されるように前述の条件を満たす他の方法などを用いることもできる。
【００１９】
廃物７６の廃物収集処理装置２０は、更にオプションとして、ノズル７０に流体を導くための弁６８を備える。弁６８は、ノズル７０の上流に設置されている。図８及び図９に示すように、弁６８が、開放状態では加圧流体７７が流れ込み、図７に示すように閉鎖状態では弁６８への加圧流体７７の流れ込みが制限される。弁６８には、加圧流体７７に適した材料であり且つ市営の水道システムの標準となる平方インチあたり約３０から６０パウンドになる加圧流体７７の圧力レベルのために適切な圧力維持能力を有する材料であればどのようなものでも用いることが出来る。しかし、高圧力や水ではない加圧流体７７、即ち別の流体に応じて、弁６８を、高圧及び／又は別の流体に対応できるように設計することができる。弁６８には、従来のインライン型のボールタイプを用いることが望まれるが、ゲート式、プラグ式又は他のタイプでも、前述の条件を満たすものであれば使用可能である。また、必要に応じて、弁６８をロックし、弁６８を固定する弁ロック部材６９を用いることができる。この弁ロック部材６９は、弁６８にロック可能に固定される。弁ロック部材６９が閉錠状態にあるときは、弁６８は、閉鎖状態となり、弁ロック部材６９が開錠状態にあるときは、弁６８は、開放状態となる。弁ロック部材６９には、南京錠タイプのものを用いることが望まれるが、屋外での使用に適するものであれば他のどのタイプでも利用可能である。
【００２０】
廃物７６の廃物収集処理装置２０の別の要素は、下水ガス４７を抜くためのガス抜き装置４８であり、該装置４８は、柱形本体２２に設けられた下水ガス抜き口２８に取り付けられている。下水ガス４７を抜くためのガス抜き装置４８は、図３に示されるように内部空間２５を経て外部７１へ下水ガス４７を抜くように作動する。この下水道ガス４７を抜くガス抜き装置４８は、従来のスクリーンタイプ及び／又はフィルタータイプを用いることが望ましいが、前述の使用条件を満たすものであればどのタイプでも用いることができる。
【００２１】
また、廃物７６の廃物収集処理装置２０の別の要素は、ベース開口４２に設けられた閉鎖板４４である。閉鎖板４４は、図８に示すように、廃物７６及び開放された流体の流れ７４がベース開口４２に案内されることにより、開くように作動する。又、図３及び図６に示すように、閉鎖板４４は、廃物７６及び開放された状態の流体の流れ７４が閉鎖板４４により内部空間２５に流れ込んだ後、ベース開口４２を閉鎖するように閉鎖状態に戻る。閉鎖板４４は、屋外の環境に適し、使用者８８により容器内部３５に廃棄される流体７４及び廃物７６に適し、且つ  流体７４及び廃物７６の動的衝撃に適するポリエチレン、ポリプロピレン、ポリウレタン、又は他のプラスチックや繊維ガラスなどの材料で形成されており、成形工程を用い製造される。これらに加え、ステンレススチール、めっき又は処理されたカーボンスチール又は前述の条件に適した他のスチールなどの加工された金属製品なども使用可能である。閉鎖板４４の閉鎖状態では、閉鎖板４４及びベース開口４２の間は、密封されている必要はない。閉鎖板４４は、閉鎖板４４を閉鎖状態に付勢するための付勢部材４６を備える。該部材４６は、弾力性のある材料であり、廃物７６及び流れ出る流体の流れ７４の腐食に耐性があり、外部７１に適したものが望ましい。付勢部材４６の構成に望まれる材料は、閉鎖板４４を構成する材料、または、前述の作動条件を満たすものであればどのようなものでも使用可能である。
【００２２】
屋外の気象状況に対応するために、廃物７６の廃物収集処理装置２０は、蓋５８を備え、該蓋５８は、容器に蓋を固定するための取付部材３６を用いて容器縁３４に取り付けられた軸６２に枢着されている。蓋５８が閉鎖状態にあるときは、蓋５８は、容器の開口部を閉鎖するように機能し、蓋５８が開放状態にあるときは、蓋５８は、容器の開口部を開放するように機能する。蓋５８は、閉鎖状態の間、容器縁３４に対しぴったりと閉められるが、流体に対し、完全密封となる必要はない。従って、蓋５８及び容器縁３４は円形のような同じ形である。しかしながら、蓋５８及び容器縁３４が同一の形である限り、蓋５８及び容器縁３４をぴったりと閉めることができ、それらの形は、楕円形、長方形、半円形、正方形、三角形又は別の形などのどのような形でもよい。蓋５８は、屋外の環境に適し且つ流体７４及び廃物７６との接触に適したポリエチレン、ポリプロピレン、ポリウレタン、又は他のプラスチックや繊維ガラスなどの材料で形成されており、成形工程を用いて製造される。これらに加え、ステンレススチール、めっき又は処理されたカーボンスチール又は前述した条件に適した他のスチールなどの加工された金属製品なども使用可能である。
【００２３】
また、必要であれば、蓋ロック部材５９が設けられる。蓋ロック部材５９は、蓋５８を容器縁３４にロックするために設けられ、蓋ロック部材５９の閉錠状態では、蓋５８を閉鎖状態に保持し、蓋ロック部材５９の開錠状態では、蓋５８を開錠状態に保持するように設けられている。蓋ロック部材５９は、閉錠状態又は開錠状態の間で機能する鍵又はコンビネーションの南京錠タイプのものが望ましい。しかしながら、屋外の環境に適し且つ上述のように蓋５８と容器縁３４と確実にロックするものであれば他のタイプのロック部材でも使用可能である。
【００２４】
使用者８８の利便性のために、廃物収集処理装置２０に、足踏み連結組立体４９を組み込むこともできる。足踏み連結組立体は、フットペダル５０を備え、フットペダル５０は、柱形本体の枢軸突起部３０と柱形本体へのフットペダル接合枢軸５２とを介して柱形本体２２に枢着されている。更に、フットペダル５０は、連結軸５４に枢軸５６を介して枢着されており、連結軸５４は、蓋５８に枢軸６０を介して枢着されている。足踏み連結組立体４９は、使用者が足９２で蓋５８を開放するように機能し、使用者が足９２をフットペダル５０にのせ、地表７２に向かってフットペダル５０を踏み込むことにより、蓋５８が開放状態となる。フットペダル５０は、使用者の足９２により踏み込まれる大きさを有することが望ましい。使用者の足９２が足踏み連結組立体４９のフットペダル５０から離れた時に、蓋５８の配置手段によって、蓋５８が重力により元の状態である閉鎖状態になるように、足踏み連結組立体４９は幾何学的に調整されている。つまり、足踏み連結組立体４９は、蓋５８と共に動き、使用者８８が彼らの足９２をフットペダル５０から離すと同時に蓋５８が閉まるようになっている。
【００２５】
フットペダル５０及び連結軸５４を備える足踏み組立体４９は、屋外の環境に適し、ポリエチレン、ポリプロピレン、ポリウレタン又は他のプラスチックや繊維ガラスなどの材料で形成されており、成形工程を用いて製造される。これらに加え、ステンレススチール、めっき又は処理されたカーボンスチール又は前述の条件に適した他のスチールなどの加工された金属材料も使用可能である。柱形本体へのフットペダル接合枢軸５２と、フットペダル５０が枢着くされる接合枢軸５６と、連結軸５４及び蓋５８の接合枢軸６０との材料は、フットペダル５０及び連結軸５４に用いられるもとの同様のもので構成されることが望ましい。
【００２６】
廃物収集処理装置２０が屋外に設けられると、地域により寒冷地の場合には加圧流体の凍結防止手段６７の使用が有益となる。加圧流体の凍結防止手段６７は、加圧流体の注入口６４から弁６８に延びる流体連通手段６６の上に配置される。つまり、凍結保護は、流体連通手段６６に沿って加圧流体の注入口６４から弁６８まで必要であり、ここでは、弁６８の閉鎖状態で、加圧流体７７が氷結温度にさらされる。加圧流体連通手段６６を、従来のパイプ、ホースのような柔軟な流体ライン、又は加圧流体７７との接触に適し、屋外温度に適し、且つ市営の水道システムの標準となる平方インチあたり約３０から６０パウンドになる加圧流体の静水圧に適する材料で構成することができる。
【００２７】
しかしながら、流体連通手段６６は、立地及び加圧流体の利用可能性に応じており設計さ、例えば、地方では、重力供給高架タンク又は井戸からくみ上げるポンプに対応し、高水圧又は低水圧を受け入れられるように設計されている。通常、加圧流体７７は水であるが、利用可能な液体及びガスを含む流体及び下水道８０に互換性のある液体及びガスを含む流体であればどのような流体でも廃物収集処理装置２０に使用することができる。加圧流体凍結防止手段６７は、パイプ又は柔軟なホースを巻く従来の電気加熱テープが好ましく、加熱テープの消費量を最小限にするために、電気加熱テープと共に従来のパイプ又は柔軟なホース断熱材を用いることもできる。しかしながら、廃物収集処理装置２０の設置場所により、従来のパイプ又は柔軟なホースタイプの断熱材を用いるだけで十分な場合もある。又は、不凍剤液が下水道８０と互換性があれば、を加圧流体７７に不凍剤液を使用することにより、パイプの電気加熱テープや柔軟なホース断熱材等の使用を排除することができる。
【００２８】
使用方法
図１０は、使用者８８が蓋５８を開放状態にするために、足踏み連結組立体４９を使用し且つ容器内部３５に糞便物質７６を入れるためにシャベル９０を手に持った状態での柱形本体２２、容器３２、加圧流体ノズル７０及び開放状態の蓋５８を有する収集処理装置２０の斜視図である。通常、使用者８８は、地表７２から廃物７６をシャベル９０を用いて取り除き、その後、廃物７６を容器内部３５に入れる。使用者８８の利便性のために、使用者８８が廃物７６を容器内部３５に入れる際、必要以上に腰を曲げ、かがみこまなくても良いように、容器縁３４は、使用者の腰線８９と同じくらいの高さになっている。廃物収集処理装置２０がオプションとして蓋５８又は足踏み連結組立体４９を備えると、使用者８８は、廃物７６を投入する前に、手動で蓋５８を開けるか、または、足９２を足踏み連結組立体４９にのせ、地表７２に向かって踏み込み、蓋５８を自動的に開けることができる。
【００２９】
いったん廃物７６が容器内部３５に入れられると、次の動作として、使用者８８は、手動により蓋５８が容器縁３４に密着する閉鎖状態になるように蓋５８を閉めるか、または、使用者８８は、その足９２を足踏み連結組立体４９から離し、重力により蓋５８を自動的に元の状態である閉鎖状態に戻す。その後、使用者８８は、加圧流体７７がノズル７０より流れ出るように弁６８を開放状態にする。この時点で、加圧流体７７は、隙間間隔７３を経て、加圧状態から開放された流れの状態７５へと変わる。ノズル７０からの加圧流体７７の流れが連続していると、弁８０を省くことができる。開放された流れの状態の流体７４は、デフレクター３８に当たり、容器の側壁開口３７へと流れ込み、そして、図９に示すように、容器内部３５に分散され、その結果、開放された流れの状態の流体７４及び廃物７６は下水道８０へと流れ込む。また、開放された流れの状態の流体７４が隙間間隔７３を横切って流れるように配置されたノズル７０から容器の側面開口３７を経て容器内部３５に流れる場合には、選択的に、デフレクター３８を省くことが可能である。
【００３０】
従って、本発明の廃物収集処理装置は、特定の実施例により述べられているが、この発明は、従来技術を鑑みて構成された以下の請求項により定められる。従って、ここに含まれる本発明の発明概念から逸脱しない限り例示された実施例に変形及び変化を加えることができる。
【図面の簡単な説明】
【００３１】
【図１】柱形本体、容器、加圧流体ノズル及び開放状態の蓋を含む収集処理装置の斜視図である。
【図２】図１に示す収集処理装置の側面図又は正面図である。
【図３】図１に示す収集処理装置の側面または正面の縦断面図である。
【図４】図１に示す収集処理装置の上面図である。
【図５】収集処理装置の容器部分を拡大した側面図又は正面図である。
【図６】収集処理装置の容器部分を部分的に拡大した側面又は正面の縦断面図である。
【図７】柱形本体、容器、加圧流体ノズル及び開放状態の蓋を含む収集装置が地表に設けられ、下水道に接続された状態を示す斜視図である。
【図８】弁が開放状態であり、流体が、糞便物質が存在するノズルから流れ、流体が容器から流れ出る様子を示す収集処理装置の容器部分を部分的に拡大した側面又は正面の縦断面図である。
【図９】弁が開放状態であり、流体がノズルから廃物の存在する容器内部に流れ込み、流体が容器から流れ出る様子を示す図１の収集処理装置の断面図である。
【図１０】使用者が蓋を開放状態にするために、足踏み連結組立体を使用し且つ容器内部に糞便物質を入れるためにシャベルを手に持った状態での柱形本体、容器、加圧流体ノズル及び開放状態の蓋を有する収集処理装置の斜視図である。
【符号の説明】
【００３２】
２０  廃物収集処理装置
２２  柱形本体
２３  柱形本体の縦軸
２４  柱形本体の第二端末
２５  柱形の内部空間
２６  柱形本体の第一端末
２８  柱形本体の下水道ガスの抜き口
３０  柱形本体の枢軸突起部
３２  容器
３３  容器の包囲側壁
３４  容器縁
３５  容器内部
３６  容器の蓋を固定する取付部材
３７  容器の包囲側壁開口
３８  デフレクター
４０  容器のベース
４２  ベース開口
４４  閉鎖板
４６  付勢手段
４７  下水ガス
４８  下水ガス抜き手段
４９  足踏み連結組立体
５０  フットペダル
５２  柱形本体へのフットペダル接合枢軸
５４  連結軸
５６  連結軸とフットペダルとの接合枢軸
５８  蓋
５９  蓋ロック部材
６０  蓋と連結軸との接合枢軸
６２  蓋と容器縁との接合枢軸
６４  加圧流体の注入口
６６  流体連通手段
６７  加圧流体凍結防止手段
６８  弁
６９  弁ロック部材
７０  流体ノズル  
７１  外部
７２  地表
７４  流体、開放された流れの状態
７５  流体、加圧状態から開放された流れ状態への位置
７６  廃物
７７  圧力流体
７８  地上
８０  下水道
８２  下水道接続のためのT字管
８４  下水道立ち上がり管
８６  立ち上がり接続管
８７  使用者の手
８８  使用者
８９  使用者の腰線
９０  シャベル
９２  使用者の足
【図１】
2005532811.tif 000003
【図２】
2005532811.tif 000004
【図３】
2005532811.tif 000005
【図４】
2005532811.tif 000006
【図５】
2005532811.tif 000007
【図６】
2005532811.tif 000008
【図７】
2005532811.tif 000009
【図８】
2005532811.tif 000010
【図９】
2005532811.tif 000011
【図１０】
2005532811.tif 000012
【国際調査報告】
2005532811.tif 000013